【手続補正書】
【提出日】平成26年1月8日(2014.1.8)
【手続補正１】
【補正対象書類名】明細書
【補正対象項目名】発明の名称
【補正方法】変更
【補正の内容】
【発明の名称】複合ライン及び複合ラインの制御方法
【手続補正２】
【補正対象書類名】明細書
【補正対象項目名】００１４
【補正方法】変更
【補正の内容】
【００１４】
この発明の複合ラインにおいて、可逆式冷間圧延機により行われる金属板の圧延処理は、少なくとも、順方向に圧延を行う第１圧延と、第１圧延の後、逆方向に圧延を行う第２圧延と、第２圧延の後、再び、順方向に圧延を行う第３圧延と、を含むものとすることができる。この場合、複合ラインは、更に、第２圧延において、中間ルーパから可逆式冷間圧延機に送られる金属板の長さと、中間ルーパから連続処理設備に送られる金属板の長さとの合計長を予測する予測器と、その合計長が、第２圧延処理前に中間ルーパに蓄積されている金属板の長さを超えない範囲となるように、１回の圧延処理によって処理される金属板の最大長を設定し、第１圧延で処理される金属板の長さを、最大長に制限する制限制御装置とを備えるものとしてもよい。
【手続補正３】
【補正対象書類名】明細書
【補正対象項目名】００３４
【補正方法】変更
【補正の内容】
【００３４】
なお、中間ルーパ１６において金属板６は、可動ロールと固定ロールとに巻かれた状態でループを形成する。従って、最小の蓄積状態であっても、中間ルーパ１６内には、少なくとも両ロールに接している長さ分の金属板６が蓄積されていることとなる。しかしながら、以下の実施の形態では、この部分を含まず、各装置に送り出すことができる金属板６の蓄積長を「有効蓄積長」とする。また、ループの大きさが最大、最小の場合における有効蓄積長を、「最大蓄積長」、「最小蓄積長」と称するものとする。
【手続補正４】
【補正対象書類名】明細書
【補正対象項目名】００４６
【補正方法】変更
【補正の内容】
【００４６】
ただし、１回のパスごとの圧延で処理される金属板６の長さは、予め設定された金属板６の長さに応じたものとなる。従って、追込時の圧延速度Ｖｎと追込圧延時間Ｔｎ１は、以下の条件を満たす必要がある。
（条件Ｂ）      Ｖｎ≦Ｌｎ/Ｔｎ１
Ｌｎはｎパス目の圧延終了後の金属板６の長さ（圧延後長）であり、上記式（２）から算出される値である。条件Ｂが満たされない場合、追込圧延での速度、時間は次式（６）に従って設定される。
Ｖｎ＝Ｌｎ/Ｔｎ１        ・・・・・（６）
追込圧延中、中間ルーパ１６内には、圧延速度Ｖｎと連続処理設備２０の処理速度Ｖ０との速度差（Ｖｎ−Ｖ０）の速さで、金属板６が蓄積されていく。
【手続補正５】
【補正対象書類名】明細書
【補正対象項目名】００６２
【補正方法】変更
【補正の内容】
【００６２】
この複合ラインにおいて、コイル状の金属板６は、当初、常に、巻取巻戻機２にセットされ、巻取巻戻機２から送り出される。新たに送り出された金属板６の先端部６Ｂが、溶接機１０において、先の金属板６の尾端部６Ａに溶接されると、金属板６はまず可逆式冷間圧延機１２に送り出され、所定パス数の圧延処理が行われる。
【手続補正６】
【補正対象書類名】明細書
【補正対象項目名】００７１
【補正方法】変更
【補正の内容】
【００７１】
＜１パス目追込圧延（工程イ）＞
圧延が開始されると、追込み圧延の間、圧延速度Ｖ１は速度8[m/s]に設定される。追込圧延時間Ｔ１１は40[s]である。この間、中間ルーパ１６には速度差6[m/s]の速さで金属板６が蓄積し、中間ルーパ１６の蓄積長が最大蓄積長600[m]に達する。なお、ここでの速度Ｖ１、追込圧延時間Ｔ１１は、条件Ｂを満たす。
【手続補正７】
【補正対象書類名】明細書
【補正対象項目名】００７２
【補正方法】変更
【補正の内容】
【００７２】
＜１パス目長端同期圧延（工程ウ）＞
最大蓄積長となった後、可逆式冷間圧延機１２の速度は、連続処理設備２０の速度と同一の速度Ｖ０＝2[m/s]とされる。長端同期の期間、中間ルーパ１６内の蓄積長は最大蓄積長600[m]で維持される。１パス目の長端同期圧延時間は、式（７）により、16.47[s]である。ここで１パス目の圧延が完了する。圧延後の金属板６の長さＬ１は352.94[m]となる。
【手続補正８】
【補正対象書類名】明細書
【補正対象項目名】００８５
【補正方法】変更
【補正の内容】
【００８５】
＜溶接＞
図５及び図６に示されるように、１本目の圧延が開始すると120[s]の溶接が行われる。上記（１）式により、溶接期間中に中間ルーパ１６内の有効蓄積長は、240[m]減少し、360[m]となる。
【手続補正９】
【補正対象書類名】明細書
【補正対象項目名】００９１
【補正方法】変更
【補正の内容】
【００９１】
＜１本目前半  ３パス目＞
３パス目追込圧延では、圧延速度Ｖ３は8[m/s]とされる。この速度で、有効蓄積長が最大蓄積長となるまでの追込圧延時間を式（５）に従って算出した場合、95.54[s]となるが、この追込圧延時間では、条件Ｂが満たされない。従って、追込圧延時間は、式（６）に従って、Ｔ３＝71.24[s]とされる。３パス目は長端同期状態にされることなく終了する。３パス目終了後、中間ルーパ１６の有効蓄積長は、454.20[m]となる。
【手続補正１０】
【補正対象書類名】明細書
【補正対象項目名】００９３
【補正方法】変更
【補正の内容】
【００９３】
＜１本目後半  ２パス目＞
後半の圧延処理では、逆パス圧延の際に巻き替えが必要となる。巻き替え時間Ｔ５０は25[s]であり、この間に、有効蓄積長は550[m]となる。巻き替え後、逆パス圧延が行われる。逆パス圧延の速度Ｖ５は8[m/s]である。逆パス圧延の圧延後長Ｌ５は484.43[m]であり、逆パス圧延に要する時間Ｔ５１は、60.55[s]である。この間、8.8[m/s]の速さで中間ルーパ１６の金属板６が減少するため、中間ルーパ１６内の有効蓄積長は17.13[m]となる。
【手続補正１１】
【補正対象書類名】明細書
【補正対象項目名】００９４
【補正方法】変更
【補正の内容】
【００９４】
＜１本目後半  ３パス目＞
３パス目追込圧延では、圧延速度Ｖ６は8[m/s]とされる。この速度で、有効蓄積長が最大蓄積長となるまでの追込圧延時間を式（５）に従って算出した場合、97.14[s]となるが、この追込圧延時間では条件Ｂが満たされない。従って、追込圧延時間は、式（６）により、Ｔ６＝71.24[s]とされる。３パス目は長端同期状態にされることなく終了する。３パス目終了後、中間ルーパ１６の有効蓄積長は、444.57[m]となる。
【手続補正１２】
【補正対象書類名】明細書
【補正対象項目名】００９６
【補正方法】変更
【補正の内容】
【００９６】
次に、追込圧延が行われる。圧延速度Ｖ７は6[m/s]とされる。この速度で有効蓄積長が最大蓄積長となるまでの追込圧延時間を式（５）に従って算出した場合、条件Ｂが満たされない。従って、追込圧延時間は、式（６）により、Ｔ７1＝68.63[s]とされる。従って、長端同期状態に切り替えられることなく、１パス目の圧延は終了する。１パス目終了後、中間ルーパ１６の有効蓄積長は、479.08[m]となる。
【手続補正１３】
【補正対象書類名】明細書
【補正対象項目名】００９９
【補正方法】変更
【補正の内容】
【００９９】
＜２本目前半  ３パス目＞
３パス目追込圧延では、圧延速度Ｖ９は8[m/s]とされる。この速度で、有効蓄積長が最大蓄積長となるまでの追込圧延時間を式（５）に従って算出した場合、条件Ｂが満たされない。従って、追込圧延時間は、式（６）に従って、Ｔ３＝71.24[s]とされる。３パス目は長端同期状態にされることなく終了する。３パス目終了後、中間ルーパ１６の有効蓄積長は、430.16[m]となる。以後、１本目後半と同様の圧延処理が行われる。
【手続補正１４】
【補正対象書類名】図面
【補正対象項目名】図４
【補正方法】変更
【補正の内容】
【図４】
2012171010.tif 000001
【手続補正１５】
【補正対象書類名】図面
【補正対象項目名】図６
【補正方法】変更
【補正の内容】
【図６】
2012171010.tif 000002
【手続補正１６】
【補正対象書類名】図面
【補正対象項目名】図７
【補正方法】変更
【補正の内容】
【図７】
2012171010.tif 000003
【手続補正１７】
【補正対象書類名】図面
【補正対象項目名】図８
【補正方法】変更
【補正の内容】
【図８】
2012171010.tif 000004